(57)【特許請求の範囲】
【請求項１】
無線端末装置が移動動作を行なうことにより複数の無線基地局装置と通信可能な通信システムにおいて、無線端末装置との間で無線信号を送受信するための無線基地局装置であって、
自己の無線基地局装置の形成するセルに在圏する無線端末装置における前記無線信号の受信電力の、前記無線端末装置の位置変化に対する変化度合いを示す端末電力情報を取得するための端末電力情報取得部と、
前記端末電力情報取得部によって取得された前記端末電力情報に基づいて、自己の無線基地局装置から他の無線基地局装置への無線端末装置の移動動作のタイミングを制御するための移動動作制御部とを備え、
前記無線基地局装置は、さらに、
自己の無線基地局装置から送信される無線信号の送信電力と前記他の無線基地局装置から送信される無線信号の送信電力との差に基づいて前記変化度合いを推定するための端末電力推定部を備え、
前記端末電力情報取得部は、前記端末電力推定部によって推定された前記変化度合いを前記端末電力情報として取得する、無線基地局装置。
【請求項２】
無線端末装置が移動動作を行なうことにより複数の無線基地局装置と通信可能な通信システムにおいて、無線端末装置との間で無線信号を送受信するための無線基地局装置であって、
自己の無線基地局装置の形成するセルに在圏する無線端末装置における前記無線信号の受信電力の、前記無線端末装置の位置変化に対する変化度合いを示す端末電力情報を取得するための端末電力情報取得部と、
前記端末電力情報取得部によって取得された前記端末電力情報に基づいて、自己の無線基地局装置から他の無線基地局装置への無線端末装置の移動動作のタイミングを制御するための移動動作制御部とを備え、
前記無線基地局装置は、さらに、
自己の無線基地局装置の形成するセルに在圏する無線端末装置が送信する無線信号の送信電力と、自己の無線基地局装置における前記無線信号の受信電力との差の時間的な変化に基づいて前記変化度合いを推定するための端末電力推定部を備え、
前記端末電力情報取得部は、前記端末電力推定部によって推定された前記変化度合いを前記端末電力情報として取得する、無線基地局装置。
【請求項３】
無線端末装置が移動動作を行なうことにより複数の無線基地局装置と通信可能な通信システムにおいて、無線端末装置との間で無線信号を送受信するための無線基地局装置であって、
自己の無線基地局装置の形成するセルに在圏する無線端末装置における前記無線信号の受信電力の、前記無線端末装置の位置変化に対する変化度合いを示す端末電力情報を取得するための端末電力情報取得部と、
前記端末電力情報取得部によって取得された前記端末電力情報に基づいて、自己の無線基地局装置から他の無線基地局装置への無線端末装置の移動動作のタイミングを制御するための移動動作制御部とを備え、
前記無線基地局装置は、さらに、
無線端末装置における無線信号の受信電力の時間的な変化に基づいて前記変化度合いを推定するための端末電力推定部を備え、
前記端末電力情報取得部は、前記端末電力推定部によって推定された前記変化度合いを前記端末電力情報として取得し、
前記端末電力推定部は、自己の無線基地局装置の形成するセルに在圏する複数の無線端末装置のうち、移動速度の大きい前記無線端末装置の前記受信電力の時間的な変化に基づいて前記変化度合いを推定する、無線基地局装置。
【請求項４】
前記移動動作制御部は、前記端末電力情報が示す前記変化度合いが大きい場合には、前記移動動作のタイミングが早まるように制御し、前記変化度合いが小さい場合には、前記移動動作のタイミングが遅くなるように制御する、請求項１から請求項３のいずれか１項に記載の無線基地局装置。
【請求項５】
前記移動動作制御部は、前記端末電力情報が示す前記変化度合いが大きい場合には、前記移動動作のタイミング制御幅を大きく設定し、前記変化度合いが小さい場合には、前記移動動作のタイミング制御幅を小さく設定する、請求項１から請求項４のいずれか１項に記載の無線基地局装置。
【請求項６】
前記端末電力情報取得部は、無線端末装置において、自己の無線基地局装置が送信する無線信号の受信品質を示す指標が所定値以下となる状態、または前記他の無線基地局装置が送信する無線信号の受信電力が所定値以上となる状態における前記変化度合いを示す端末電力情報を取得する、請求項１から請求項５のいずれか１項に記載の無線基地局装置。
【請求項７】
前記無線基地局装置は、さらに、
自己の無線基地局装置と前記他の無線基地局装置との距離に基づいて前記変化度合いを推定するための端末電力推定部を備え、
前記端末電力情報取得部は、前記端末電力推定部によって推定された前記変化度合いを前記端末電力情報として取得する、請求項１から請求項６のいずれか１項に記載の無線基地局装置。
【請求項８】
前記無線基地局装置は、さらに、
前記他の無線基地局装置が送信する無線信号の送信電力と、前記他の無線基地局装置が送信する無線信号の、自己の無線基地局装置の形成するセルにおける受信電力との差に基づいて、自己の無線基地局装置と前記他の無線基地局装置との距離を推定するための基地局間距離推定部を備え、
前記端末電力推定部は、前記基地局間距離推定部によって推定された前記距離に基づいて前記変化度合いを推定する、請求項７に記載の無線基地局装置。
【請求項９】
前記無線基地局装置は、さらに、
自己の無線基地局装置の形成するセルに在圏する無線端末装置の移動速度に基づいて前記変化度合いを推定するための端末電力推定部を備え、
前記端末電力情報取得部は、前記端末電力推定部によって推定された前記変化度合いを前記端末電力情報として取得する、請求項１から請求項６のいずれか１項に記載の無線基地局装置。
【請求項１０】
前記無線基地局装置は、さらに、
前記他の無線基地局装置が送信する無線信号の送信電力と、前記他の無線基地局装置が送信する無線信号の、自己の無線基地局装置の形成するセルにおける受信電力との差の時間的な変化に基づいて前記変化度合いを推定するための端末電力推定部を備え、
前記端末電力情報取得部は、前記端末電力推定部によって推定された前記変化度合いを前記端末電力情報として取得する、請求項１から請求項６のいずれか１項に記載の無線基地局装置。
【請求項１１】
前記無線基地局装置は、さらに、
自己の無線基地局装置の形成するセルに在圏する無線端末装置が送信する無線信号の周波数と、自己の無線基地局装置が受信した前記無線信号の周波数との差に基づいて前記変化度合いを推定するための端末電力推定部を備え、
前記端末電力情報取得部は、前記端末電力推定部によって推定された前記変化度合いを前記端末電力情報として取得する、請求項１から請求項６のいずれか１項に記載の無線基地局装置。
【請求項１２】
前記端末電力推定部は、自己の無線基地局装置の形成するセルに在圏する無線端末装置における無線信号の受信電力の測定結果に基づいて前記受信電力の時間的な変化を取得する、請求項３に記載の無線基地局装置。
【請求項１３】
無線端末装置が移動動作を行なうことにより複数の無線基地局装置と通信可能な通信システムにおいて、無線端末装置との間で無線信号を送受信するための無線基地局装置であって、
自己の無線基地局装置および他の無線基地局装置から送信される無線信号の送信電力の差、自己の無線基地局装置の形成するセルに在圏する無線端末装置が送信する無線信号の送信電力と、自己の無線基地局装置における前記無線信号の受信電力との差の時間的な変化、ならびに自己の無線基地局装置の形成するセルに在圏する複数の無線端末装置のうち、移動速度の大きい前記無線端末装置における無線信号の前記受信電力の時間的な変化のうち、少なくともいずれか１つの情報を取得するための情報取得部と、
前記情報取得部によって取得された前記情報に基づいて、自己の無線基地局装置から前記他の無線基地局装置への無線端末装置の移動動作のタイミングを制御するための移動動作制御部とを備える、無線基地局装置。
【請求項１４】
無線端末装置がハンドオーバ動作を行なうことにより複数の無線基地局装置と通信可能な通信システムにおける無線基地局装置であって、
前記無線端末装置との間で無線信号を送受信する無線送受信部と、
自己の無線基地局装置および他の無線基地局装置から送信される無線信号の送信電力の差、自己の無線基地局装置の形成するセルに在圏する無線端末装置が送信する無線信号の送信電力と、自己の無線基地局装置における前記無線信号の受信電力との差の時間的な変化、ならびに自己の無線基地局装置の形成するセルに在圏する複数の無線端末装置のうち、移動速度の大きい前記無線端末装置における無線信号の受信電力の時間的な変化のうち、少なくともいずれか１つの情報を取得するための情報取得部と、
前記情報取得部によって取得された前記情報に基づいて、自己の無線基地局装置から他の無線基地局装置への無線端末装置のハンドオーバ動作のタイミングを制御し、”Ｔｏｏ  Ｌａｔｅ  ＨＯ（Handover）”が発生したと判断した場合に、前記ハンドオーバ動作が早まるように制御し、”Ｔｏｏ  Ｅａｒｌｙ  ＨＯ”が発生したと判断した場合に、前記ハンドオーバ動作が遅くなるように制御するハンドオーバ制御部とを備える、無線基地局装置。
【請求項１５】
無線端末装置が移動動作を行なうことにより複数の無線基地局装置と通信可能な通信システムにおいて、無線端末装置との間で無線信号を送受信するための無線基地局装置における通信制御方法であって、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップと、
自己の無線基地局装置から送信される無線信号の送信電力と前記他の無線基地局装置から送信される無線信号の送信電力との差に基づいて前記変化度合いを推定するステップとを含み、
前記端末電力情報を取得するステップにおいては、推定した前記変化度合いを前記端末電力情報として取得する、通信制御方法。
【請求項１６】
無線端末装置が移動動作を行なうことにより複数の無線基地局装置と通信可能な通信システムにおいて、無線端末装置との間で無線信号を送受信するための無線基地局装置における通信制御方法であって、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップと、
自己の無線基地局装置の形成するセルに在圏する無線端末装置が送信する無線信号の送信電力と、自己の無線基地局装置における前記無線信号の受信電力との差の時間的な変化に基づいて前記変化度合いを推定するステップとを含み、
前記端末電力情報を取得するステップにおいては、推定した前記変化度合いを前記端末電力情報として取得する、通信制御方法。
【請求項１７】
無線端末装置が移動動作を行なうことにより複数の無線基地局装置と通信可能な通信システムにおいて、無線端末装置との間で無線信号を送受信するための無線基地局装置における通信制御方法であって、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップと、
無線端末装置における無線信号の受信電力の時間的な変化に基づいて前記変化度合いを推定するステップとを含み、
前記端末電力情報を取得するステップにおいては、推定した前記変化度合いを前記端末電力情報として取得し、
前記変化度合いを推定するステップにおいては、自己の無線基地局装置の形成するセルに在圏する複数の無線端末装置のうち、移動速度の大きい前記無線端末装置の前記受信電力の時間的な変化に基づいて前記変化度合いを推定する、通信制御方法。
【請求項１８】
無線端末装置が移動動作を行なうことにより複数の無線基地局装置と通信可能な通信システムにおいて、無線端末装置との間で無線信号を送受信するための無線基地局装置における通信制御プログラムであって、コンピュータに、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップと、
自己の無線基地局装置から送信される無線信号の送信電力と前記他の無線基地局装置から送信される無線信号の送信電力との差に基づいて前記変化度合いを推定するステップとを実行させるためのプログラムであり、
前記端末電力情報を取得するステップにおいては、推定した前記変化度合いを前記端末電力情報として取得する、通信制御プログラム。
【請求項１９】
無線端末装置が移動動作を行なうことにより複数の無線基地局装置と通信可能な通信システムにおいて、無線端末装置との間で無線信号を送受信するための無線基地局装置における通信制御プログラムであって、コンピュータに、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップと、
自己の無線基地局装置の形成するセルに在圏する無線端末装置が送信する無線信号の送信電力と、自己の無線基地局装置における前記無線信号の受信電力との差の時間的な変化に基づいて前記変化度合いを推定するステップとを実行させるためのプログラムであり、
前記端末電力情報を取得するステップにおいては、推定した前記変化度合いを前記端末電力情報として取得する、通信制御プログラム。
【請求項２０】
無線端末装置が移動動作を行なうことにより複数の無線基地局装置と通信可能な通信システムにおいて、無線端末装置との間で無線信号を送受信するための無線基地局装置における通信制御プログラムであって、コンピュータに、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップと、
無線端末装置における無線信号の受信電力の時間的な変化に基づいて前記変化度合いを推定するステップとを実行させるためのプログラムであり、
前記端末電力情報を取得するステップにおいては、推定した前記変化度合いを前記端末電力情報として取得し、
前記変化度合いを推定するステップにおいては、自己の無線基地局装置の形成するセルに在圏する複数の無線端末装置のうち、移動速度の大きい前記無線端末装置の前記受信電力の時間的な変化に基づいて前記変化度合いを推定する、通信制御プログラム。
【発明の詳細な説明】
【技術分野】
【０００１】
本発明は、無線基地局装置、通信制御方法および通信制御プログラムに関し、特に、無線端末装置が移動動作を行なうことにより複数の無線基地局装置と通信可能な通信システムにおける無線基地局装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になることから、ハンドオーバのタイミングが早すぎたり、あるいは遅すぎたりするなど、不適切なハンドオーバ動作が行なわれる場合がある（たとえば、3GPP TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、無線端末装置の移動動作を適切に制御することにより、通信の安定化を図ることが可能な無線基地局装置、通信制御方法および通信制御プログラムを提供することである。
【課題を解決するための手段】
【００１２】
（１）上記課題を解決するために、この発明のある局面に係わる無線基地局装置は、無線端末装置が移動動作を行なうことにより複数の無線基地局装置と通信可能な通信システムにおいて、無線端末装置との間で無線信号を送受信するための無線基地局装置であって、自己の無線基地局装置の形成するセルに在圏する無線端末装置における上記無線信号の受信電力の、上記無線端末装置の位置変化に対する変化度合いを示す端末電力情報を取得するための端末電力情報取得部と、上記端末電力情報取得部によって取得された上記端末電力情報に基づいて、自己の無線基地局装置から他の無線基地局装置への無線端末装置の移動動作のタイミングを制御するための移動動作制御部とを備える。
【００１３】
このような構成により、無線端末装置の位置変化に伴う受信状態の変化を用いて移動動作のタイミングを適切に制御することができるため、不適切な移動動作を抑制し、良好な通信システムを構築することができる。したがって、無線端末装置の移動動作を適切に制御することにより、通信の安定化を図ることができる。
【００１４】
（２）好ましくは、上記移動動作制御部は、上記端末電力情報が示す上記変化度合いが大きい場合には、上記移動動作のタイミングが早まるように制御し、上記変化度合いが小さい場合には、上記移動動作のタイミングが遅くなるように制御する。
【００１５】
このような構成により、移動動作のタイミングを制御するためのパラメータを適切に設定し、移動動作を最適化することができる。
【００１６】
（３）好ましくは、上記移動動作制御部は、上記端末電力情報が示す上記変化度合いが大きい場合には、上記移動動作のタイミング制御幅を大きく設定し、上記変化度合いが小さい場合には、上記移動動作のタイミング制御幅を小さく設定する。
【００１７】
このように、パラメータ調整のステップサイズを適応的に変えることにより、移動動作の最適化処理の収束速度および安定性を高めることができる。
【００１８】
（４）好ましくは、上記端末電力情報取得部は、無線端末装置において、自己の無線基地局装置が送信する無線信号の受信品質を示す指標が所定値以下となる状態、または上記他の無線基地局装置が送信する無線信号の受信電力が所定値以上となる状態における上記変化度合いを示す端末電力情報を取得する。
【００１９】
このような構成により、無線通信システムにおける適切な位置の上記変化度合いを用いて、移動動作のタイミングをより適切に制御することができる。
【００２０】
（５）好ましくは、上記無線基地局装置は、さらに、自己の無線基地局装置と上記他の無線基地局装置との距離に基づいて上記変化度合いを推定するための端末電力推定部を備え、上記端末電力情報取得部は、上記端末電力推定部によって推定された上記変化度合いを上記端末電力情報として取得する。
【００２１】
このような構成により、基地局間距離の大小に応じて無線端末装置の受信環境を適切に評価し、上記変化度合いをより正確に推定することができる。
【００２２】
（６）より好ましくは、上記無線基地局装置は、さらに、上記他の無線基地局装置が送信する無線信号の送信電力と、上記他の無線基地局装置が送信する無線信号の、自己の無線基地局装置の形成するセルにおける受信電力との差に基づいて、自己の無線基地局装置と上記他の無線基地局装置との距離を推定するための基地局間距離推定部を備え、上記端末電力推定部は、上記基地局間距離推定部によって推定された上記距離に基づいて上記変化度合いを推定する。
【００２３】
このように、他の無線基地局装置の無線信号の送信電力および自セルにおける当該無線信号の受信電力の差である下りパスロスを用いる構成により、基地局間距離をより正確に推定することができる。また、基地局間距離をユーザが予め無線基地局装置に設定する必要がなくなる。
【００２４】
（７）好ましくは、上記無線基地局装置は、さらに、自己の無線基地局装置から送信される無線信号の送信電力と上記他の無線基地局装置から送信される無線信号の送信電力との差に基づいて上記変化度合いを推定するための端末電力推定部を備え、上記端末電力情報取得部は、上記端末電力推定部によって推定された上記変化度合いを上記端末電力情報として取得する。
【００２５】
このような構成により、基地局間の送信電力差の大小に応じて無線端末装置の受信環境を適切に評価し、上記変化度合いをより正確に推定することができる。
【００２６】
（８）好ましくは、上記無線基地局装置は、さらに、自己の無線基地局装置の形成するセルに在圏する無線端末装置の移動速度に基づいて上記変化度合いを推定するための端末電力推定部を備え、上記端末電力情報取得部は、上記端末電力推定部によって推定された上記変化度合いを上記端末電力情報として取得する。
【００２７】
このような構成により、無線端末装置の移動速度の大小に応じて無線端末装置の受信環境を適切に評価し、上記変化度合いをより正確に推定することができる。
【００２８】
（９）好ましくは、上記無線基地局装置は、さらに、上記他の無線基地局装置が送信する無線信号の送信電力と、上記他の無線基地局装置が送信する無線信号の、自己の無線基地局装置の形成するセルにおける受信電力との差の時間的な変化に基づいて上記変化度合いを推定するための端末電力推定部を備え、上記端末電力情報取得部は、上記端末電力推定部によって推定された上記変化度合いを上記端末電力情報として取得する。
【００２９】
このような構成により、他の無線基地局装置の無線信号の送信電力および自セルにおける当該無線信号の受信電力の差である下りパスロスの時間変化の大小に応じて無線端末装置の受信環境を適切に評価し、上記変化度合いをより正確に推定することができる。
【００３０】
（１０）好ましくは、上記無線基地局装置は、さらに、自己の無線基地局装置の形成するセルに在圏する無線端末装置が送信する無線信号の送信電力と、自己の無線基地局装置における上記無線信号の受信電力との差の時間的な変化に基づいて上記変化度合いを推定するための端末電力推定部を備え、上記端末電力情報取得部は、上記端末電力推定部によって推定された上記変化度合いを上記端末電力情報として取得する。
【００３１】
このような構成により、無線端末装置の無線信号の送信電力および自己の無線基地局装置における当該無線信号の受信電力の差である上りパスロスの時間変化の大小に応じて無線端末装置の受信環境を適切に評価し、上記変化度合いをより正確に推定することができる。
【００３２】
（１１）好ましくは、上記無線基地局装置は、さらに、自己の無線基地局装置の形成するセルに在圏する無線端末装置が送信する無線信号の周波数と、自己の無線基地局装置が受信した上記無線信号の周波数との差に基づいて上記変化度合いを推定するための端末電力推定部を備え、上記端末電力情報取得部は、上記端末電力推定部によって推定された上記変化度合いを上記端末電力情報として取得する。
【００３３】
このような構成により、無線端末装置の無線信号の周波数および自己の無線基地局装置が受信した当該無線信号の周波数の差であるドップラーシフトの大小に応じて無線端末装置の受信環境を適切に評価し、上記変化度合いをより正確に推定することができる。
【００３４】
（１２）好ましくは、上記無線基地局装置は、さらに、無線端末装置における無線信号の受信電力の時間的な変化に基づいて上記変化度合いを推定するための端末電力推定部を備え、上記端末電力情報取得部は、上記端末電力推定部によって推定された上記変化度合いを上記端末電力情報として取得する。
【００３５】
このような構成により、無線端末装置における無線信号の受信電力の時間的な変化であるシャドウィングの大小に応じて無線端末装置の受信環境を適切に評価し、上記変化度合いをより正確に推定することができる。
【００３６】
（１３）より好ましくは、上記端末電力推定部は、自己の無線基地局装置の形成するセルに在圏する無線端末装置における無線信号の受信電力の測定結果に基づいて上記受信電力の時間的な変化を取得する。
【００３７】
このように、無線端末装置の測定結果を用いる構成により、当該無線端末装置におけるシャドウィングをより正確に推定することができる。
【００３８】
（１４）より好ましくは、上記端末電力推定部は、自己の無線基地局装置の形成するセルに在圏する複数の無線端末装置のうち、移動速度の大きい上記無線端末装置の上記受信電力の時間的な変化に基づいて上記変化度合いを推定する。
【００３９】
このように、シャドウィングが大きくなりやすい無線端末装置を選択して受信環境を評価する構成により、上記変化度合いをより正確に推定することができる。
【００４０】
（１５）またこの発明の別の局面に係わる無線基地局装置は、無線端末装置が移動動作を行なうことにより複数の無線基地局装置と通信可能な通信システムにおいて、無線端末装置との間で無線信号を送受信するための無線基地局装置であって、自己の無線基地局装置と他の無線基地局装置との距離、自己の無線基地局装置および他の無線基地局装置から送信される無線信号の送信電力の差、自己の無線基地局装置の形成するセルに在圏する無線端末装置の移動速度、他の無線基地局装置が送信する無線信号の送信電力と、上記他の無線基地局装置が送信する無線信号の、自己の無線基地局装置の形成するセルにおける受信電力との差の時間的な変化、自己の無線基地局装置の形成するセルに在圏する無線端末装置が送信する無線信号の送信電力と、自己の無線基地局装置における上記無線信号の受信電力との差の時間的な変化、自己の無線基地局装置の形成するセルに在圏する無線端末装置が送信する無線信号の周波数と、自己の無線基地局装置が受信した上記無線信号の周波数との差、ならびに無線端末装置における無線信号の受信電力の時間的な変化のうち、少なくともいずれか１つの情報を取得するための情報取得部と、上記情報取得部によって取得された上記情報に基づいて、自己の無線基地局装置から上記他の無線基地局装置への無線端末装置の移動動作のタイミングを制御するための移動動作制御部とを備える。
【００４１】
このような構成により、無線端末装置の受信環境を適切に評価し、移動動作のタイミングを適切に制御することができるため、不適切な移動動作を抑制し、良好な通信システムを構築することができる。したがって、無線端末装置の移動動作を適切に制御することにより、通信の安定化を図ることができる。
【００４２】
（１６）上記課題を解決するために、この発明のある局面に係わる通信制御方法は、無線端末装置が移動動作を行なうことにより複数の無線基地局装置と通信可能な通信システムにおいて、無線端末装置との間で無線信号を送受信するための無線基地局装置における通信制御方法であって、自己の無線基地局装置の形成するセルに在圏する無線端末装置における上記無線信号の受信電力の、上記無線端末装置の位置変化に対する変化度合いを示す端末電力情報を取得するステップと、取得した上記端末電力情報に基づいて、自己の無線基地局装置から他の無線基地局装置への無線端末装置の移動動作のタイミングを制御するステップとを含む。
【００４３】
このような構成により、無線端末装置の位置変化に伴う受信状態の変化を用いて移動動作のタイミングを適切に制御することができるため、不適切な移動動作を抑制し、良好な通信システムを構築することができる。したがって、無線端末装置の移動動作を適切に制御することにより、通信の安定化を図ることができる。
【００４４】
（１７）上記課題を解決するために、この発明のある局面に係わる通信制御プログラムは、無線端末装置が移動動作を行なうことにより複数の無線基地局装置と通信可能な通信システムにおいて、無線端末装置との間で無線信号を送受信するための無線基地局装置における通信制御プログラムであって、コンピュータに、自己の無線基地局装置の形成するセルに在圏する無線端末装置における上記無線信号の受信電力の、上記無線端末装置の位置変化に対する変化度合いを示す端末電力情報を取得するステップと、取得した上記端末電力情報に基づいて、自己の無線基地局装置から他の無線基地局装置への無線端末装置の移動動作のタイミングを制御するステップとを実行させるためのプログラムである。
【００４５】
このような構成により、無線端末装置の位置変化に伴う受信状態の変化を用いて移動動作のタイミングを適切に制御することができるため、不適切な移動動作を抑制し、良好な通信システムを構築することができる。したがって、無線端末装置の移動動作を適切に制御することにより、通信の安定化を図ることができる。
【発明の効果】
【００４６】
本発明によれば、無線端末装置の移動動作を適切に制御することにより、通信の安定化を図ることができる。
【図面の簡単な説明】
【００４７】
【図１】本発明の実施の形態に係る無線通信システムの構成を示す図である。
【図２】本発明の実施の形態に係る無線通信システムにおけるハンドオーバ動作のシーケンスの一例を示す図である。
【図３】本発明の実施の形態に係る無線通信システムにおいて、不適切なハンドオーバ動作（Ｔｏｏ  Ｌａｔｅ  ＨＯ）が生じた状況の一例を示す図である。
【図４】本発明の実施の形態に係る無線通信システムにおける、不適切なハンドオーバ動作（Ｔｏｏ  Ｌａｔｅ  ＨＯ）およびその検出処理のシーケンスの一例を示す図である。
【図５】本発明の実施の形態に係る無線通信システムにおいて、不適切なハンドオーバ動作（Ｔｏｏ  Ｅａｒｌｙ  ＨＯ）が生じた状況の一例を示す図である。
【図６】本発明の実施の形態に係る無線通信システムにおいて、不適切なハンドオーバ動作（Ｔｏｏ  Ｅａｒｌｙ  ＨＯ）が生じた状況の一例を示す図である。
【図７】本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【図８】本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図９】本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１０】本発明の実施の形態に係る無線通信システムにおける、無線端末装置の受信品質のシミュレーション結果を示す図である。
【図１１】本発明の実施の形態に係る無線通信システムにおいて、無線端末装置が測定結果通知を送信するイベントＡ１を示す図である。
【図１２】本発明の実施の形態に係る無線通信システムにおいて、無線端末装置が測定結果通知を送信するイベントＡ２を示す図である。
【図１３】本発明の実施の形態に係る無線通信システムにおいて、無線端末装置が測定結果通知を送信するイベントＡ３を示す図である。
【図１４】本発明の実施の形態に係る無線通信システムにおいて、無線端末装置が測定結果通知を送信するイベントＡ４を示す図である。
【図１５】本発明の実施の形態に係る無線通信システムにおいて、無線端末装置が測定結果通知を送信するイベントＡ５を示す図である。
【図１６】本発明の実施の形態に係る無線通信システムにおいて、ヒステリシスＨＳの調整によるハンドオーバ動作のタイミング制御を示す図である。
【図１７】本発明の実施の形態に係る無線通信システムにおいて、ＴＴＴの調整によるハンドオーバ動作のタイミング制御を示す図である。
【図１８】本発明の実施の形態に係る無線通信システムにおいて、オフセットＯＳＴの調整によるハンドオーバ動作のタイミング制御を示す図である。
【図１９】本発明の実施の形態に係る無線通信システムにおける、各位置の無線信号の受信電力の一例を示す図である。
【図２０】本発明の実施の形態に係る無線通信システムにおいて、ハンドオーバ動作のタイミングを制御するためのパラメータの他の例を説明するための図である。
【図２１】本発明の実施の形態に係る無線基地局装置の構成を示す図である。
【図２２】本発明の実施の形態に係る無線基地局装置における制御部の構成を示す図である。
【図２３】基地局間距離による電力変化量の相違を説明するための図である。
【図２４】本発明の実施の形態に係る無線基地局装置がハンドオーバ動作の最適化処理を行なう際の動作手順を定めたシーケンス図である。
【図２５】基地局間の送信電力差による電力変化量の相違を説明するための図である。
【図２６】本発明の実施の形態に係る無線基地局装置がハンドオーバ動作の最適化処理を行なう際の動作手順の他の例を定めたシーケンス図である。
【図２７】本発明の実施の形態に係る無線基地局装置がハンドオーバ動作の最適化処理を行なう際の動作手順の他の例を定めたシーケンス図である。
【図２８】本発明の実施の形態に係る無線基地局装置がハンドオーバ動作の最適化処理を行なう際の動作手順の他の例を定めたシーケンス図である。
【図２９】本発明の実施の形態に係る無線基地局装置がハンドオーバ動作の最適化処理を行なう際の動作手順の他の例を定めたシーケンス図である。
【図３０】本発明の実施の形態に係る無線基地局装置がハンドオーバ動作の最適化処理を行なう際の動作手順の他の例を定めたシーケンス図である。
【図３１】本発明の実施の形態に係る無線基地局装置がハンドオーバ動作の最適化処理を行なう際の動作手順の他の例を定めたシーケンス図である。
【発明を実施するための形態】
【００４８】
以下、本発明の実施の形態について図面を用いて説明する。なお、図中同一または相当部分には同一符号を付してその説明は繰り返さない。
【００４９】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００５０】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００５１】
また、ハンドオーバとは、通話中またはデータ通信中の無線端末装置の通信相手となる無線基地局装置が切り替えられることを意味する。
【００５２】
また、無線端末装置がセルに在圏している、とは、無線端末装置が、当該セルを形成する無線基地局装置を通信先として選択し、かつ当該無線基地局装置と通信可能な状態または通信中である状態を意味する。
【００５３】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００５４】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００５５】
本発明の実施の形態に係る無線通信システムにおいても、このような３ＧＰＰの定義を適用してもよい。
【００５６】
また、上記定義と合わせて、あるいは別個に、以下のような定義を適用することも可能である。
【００５７】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００５８】
また、フェムト基地局は、主に個人または法人の建物内に設置され、ユーザの事情により移動するまたは電源がオフとなる可能性がある無線基地局装置である。
【００５９】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００６０】
［構成および基本動作］
図１は、本発明の実施の形態に係る無線通信システムの構成を示す図である。
【００６１】
図１を参照して、無線通信システムは、たとえば３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられてもよい。
【００６２】
無線基地局装置１０１Ａ，１０１Ｂは、たとえばフェムト基地局、ピコ基地局またはマクロ基地局である。
【００６３】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【００６４】
ここで、無線端末装置からコアネットワークへの方向を上り方向と称し、コアネットワークから無線端末装置への方向を下り方向と称する。
【００６５】
本発明の実施の形態に係る無線通信システムにおける無線基地局装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【００６６】
図２は、本発明の実施の形態に係る無線通信システムにおけるハンドオーバ動作のシーケンスの一例を示す図である。
【００６７】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【００６８】
図２を参照して、まず、無線基地局装置１０１Ａは、自己と通信中の無線端末装置２０２の測定対象となる周波数と、当該周波数の無線信号を送信する他の無線基地局装置とを設定する（ステップＳ１）。
【００６９】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ２）。
【００７０】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３）。
【００７１】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４）。
【００７２】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５）。
【００７３】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ６）。
【００７４】
次に、無線基地局装置１０１Ａは、無線基地局装置１０１Ｂを示すハンドオーバ要求を上位装置へ送信する（ステップＳ７）。
【００７５】
次に、上位装置は、無線基地局装置１０１Ａからハンドオーバ要求を受信して、無線基地局装置１０１Ｂへ当該ハンドオーバ要求を送信する（ステップＳ８）。
【００７６】
次に、無線基地局装置１０１Ｂは、上位装置からハンドオーバ要求を受信して、上位装置へ当該ハンドオーバ要求に対するハンドオーバ応答を送信する（ステップＳ９）。
【００７７】
次に、上位装置は、無線基地局装置１０１Ｂからハンドオーバ応答を受信して、無線基地局装置１０１Ａへハンドオーバ指示を送信する（ステップＳ１０）。
【００７８】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ１１）。
【００７９】
次に、無線基地局装置１０１Ａは、上位装置へ自己の通信状態等を示す状態通知を送信する（ステップＳ１２）。
【００８０】
次に、上位装置は、無線基地局装置１０１Ａから状態通知を受信して、無線基地局装置１０１Ｂへ無線端末装置２０２との通信内容等を示す状態通知を送信する（ステップＳ１３）。
【００８１】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１４）。
【００８２】
次に、無線基地局装置１０１Ｂは、無線端末装置２０２からＲＲＣコネクション再構成完了通知を受信して、上位装置へハンドオーバ完了通知を送信する（ステップＳ１５）。
【００８３】
次に、上位装置は、無線基地局装置１０１Ｂからハンドオーバ完了通知を受信して、端末情報解放指示を無線基地局装置１０１Ａへ送信する（ステップＳ１６）。
【００８４】
次に、無線基地局装置１０１Ａは、上位装置から端末情報解放指示を受信して、無線端末装置２０２に関する情報を解放し、上位装置へ端末情報解放完了通知を送信する（ステップＳ１７）。
【００８５】
［不適切なハンドオーバ動作の例］
以下、無線端末装置２０２と通信中の無線基地局装置またはハンドオーバ元の無線基地局装置をサービング基地局とも称し、ハンドオーバ先の無線基地局装置を周辺基地局とも称する。
【００８６】
図３は、本発明の実施の形態に係る無線通信システムにおいて、不適切なハンドオーバ動作（Ｔｏｏ  Ｌａｔｅ  ＨＯ）が生じた状況の一例を示す図である。
【００８７】
図４は、本発明の実施の形態に係る無線通信システムにおける、不適切なハンドオーバ動作（Ｔｏｏ  Ｌａｔｅ  ＨＯ）およびその検出処理のシーケンスの一例を示す図である。
【００８８】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【００８９】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【００９０】
ここでは、図３に示すように、無線端末装置２０２は、セルＣＡ内に位置し、無線基地局装置１０１Ａと通信中である場合を想定する。
【００９１】
図３および図４を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【００９２】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【００９３】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【００９４】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【００９５】
ここで、ネットワーク側のハンドオーバの準備中、すなわち無線基地局装置１０１Ａおよび１０１Ｂが上記のようなハンドオーバのためのメッセージの送受信を行っている間に、無線端末装置２０２が、セルＣＡの圏外、かつセルＣＢの圏内に移動する（ステップＳ５５）。
【００９６】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【００９７】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【００９８】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【００９９】
次に、無線端末装置２０２は、無線基地局装置１０１ＢへＲＲＣコネクション再確立完了通知（RRC Connection Reestablishment Complete）を送信する（ステップＳ６０）。
【０１００】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【０１０１】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【０１０２】
次に、無線基地局装置１０１Ｂは、無線端末装置２０２から受信したＲＬＦレポートのＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【０１０３】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【０１０４】
次に、無線基地局装置１０１Ａは、セルＣＢへの”Ｔｏｏ  Ｌａｔｅ  ＨＯ”の発生が抑制されるように、ハンドオーバ動作の最適化処理を実行する（ステップＳ６５）。
【０１０５】
図５および図６は、本発明の実施の形態に係る無線通信システムにおいて、不適切なハンドオーバ動作（Ｔｏｏ  Ｅａｒｌｙ  ＨＯ）が生じた状況の一例を示す図である。
【０１０６】
図５および図６を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１０７】
図７は、本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【０１０８】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０１０９】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報開放指示を無線基地局装置１０１Ａへ送信していたときに、”Ｔｏｏ  Ｅａｒｌｙ  ＨＯ”である旨を無線基地局装置１０１Ａに通知する。
【０１１０】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０１１１】
ここでは、図５に示すように、無線端末装置２０２が、セルＣＡ内に位置し、無線基地局装置１０１Ａと通信中である状態から、セルＣＢ２内へ移動した場合（ステップＳ７０）を想定する。
【０１１２】
図５〜図７を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０１１３】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０１１４】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０１１５】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０１１６】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０１１７】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０１１８】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０１１９】
また、無線基地局装置１０１Ｂは、無線端末装置２０２のセルＣＢにおける滞在時間を計測するために、タイマをスタートさせる（ステップＳ７８）。
【０１２０】
次に、無線基地局装置１０１Ａは、無線基地局装置１０１Ｂから端末情報解放指示を受信して、無線端末装置２０２に関する情報（UE Context）を解放する（ステップＳ７９）。
【０１２１】
以上により、無線端末装置２０２の無線基地局装置１０１Ａから無線端末装置１０１Ｂへのハンドオーバが完了する（ステップＳ８０）。
【０１２２】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０１２３】
そうすると、無線端末装置２０２は、無線基地局装置１０１Ｂと通信できなくなることから、ＲＬＦが発生してしまう（ステップＳ８３）。
【０１２４】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０１２５】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０１２６】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０１２７】
すなわち、まず、無線端末装置２０２は、ＲＲＣコネクション要求（RRC Connection Request）を無線基地局装置１０１Ａへ送信する（ステップＳ８８）。
【０１２８】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０１２９】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０１３０】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０１３１】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０１３２】
次に、無線基地局装置１０１Ａは、無線端末装置２０２へＲＲＣコネクション再構成指示（RRC Connection Reconfiguration）を送信する（ステップＳ９３）。
【０１３３】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０１３４】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０１３５】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０１３６】
次に、無線基地局装置１０１Ａは、無線端末装置２０２から受信したＲＬＦレポートのＰＣＩを参照することにより、無線基地局装置１０１ＢにおいてＲＬＦが発生しことを認識し、セルＣＡへの”Ｔｏｏ  Ｌａｔｅ  ＨＯ”が発生したと判断する（ステップＳ９７）。
【０１３７】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０１３８】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０１３９】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０１４０】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０１４１】
図８は、本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【０１４２】
図８を参照して、無線通信システムは、図１に示す無線通信システムと比べて、さらに、無線基地局装置１０１Ｃを備える。無線基地局装置１０１Ｃは、たとえばフェムト基地局、ピコ基地局またはマクロ基地局である。
【０１４３】
無線基地局装置１０１Ｃは、セルＣＣを形成し、セルＣＣ内に存在する無線端末装置２０２と無線信号を送受信することにより、当該無線端末装置２０２と通信することが可能である。
【０１４４】
図９は、本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０１４５】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０１４６】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報開放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０１４７】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０１４８】
ここでは、図８に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０１４９】
図８および図９を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０１５０】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０１５１】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０１５２】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０１５３】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０１５４】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０１５５】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０１５６】
また、無線基地局装置１０１Ｂは、無線端末装置２０２のセルＣＢにおける滞在時間を計測するために、タイマをスタートさせる（ステップＳ１１８）。
【０１５７】
次に、無線基地局装置１０１Ａは、無線基地局装置１０１Ｂから端末情報解放指示を受信して、無線端末装置２０２に関する情報（UE Context）を解放する（ステップＳ１１９）。
【０１５８】
以上により、無線端末装置２０２の無線基地局装置１０１Ａから無線端末装置１０１Ｂへのハンドオーバが完了する（ステップＳ１２０）。
【０１５９】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０１６０】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０１６１】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０１６２】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０１６３】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０１６４】
すなわち、まず、無線端末装置２０２は、ＲＲＣコネクション要求（RRC Connection Request）を無線基地局装置１０１Ｃへ送信する（ステップＳ１２８）。
【０１６５】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０１６６】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０１６７】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０１６８】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０１６９】
次に、無線基地局装置１０１Ｃは、無線端末装置２０２へＲＲＣコネクション再構成指示（RRC Connection Reconfiguration）を送信する（ステップＳ１３３）。
【０１７０】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０１７１】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０１７２】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０１７３】
次に、無線基地局装置１０１Ｃは、無線端末装置２０２から受信したＲＬＦレポートのＰＣＩを参照することにより、無線基地局装置１０１ＢにおいてＲＬＦが発生しことを認識し、セルＣＣへの”Ｔｏｏ  Ｌａｔｅ  ＨＯ”が発生したと判断する（ステップＳ１３７）。
【０１７４】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０１７５】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０１７６】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０１７７】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の最適化処理を実行する（ステップＳ１４２）。
【０１７８】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０１７９】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０１８０】
［ハンドオーバ動作の制御パラメータ］
図１０は、本発明の実施の形態に係る無線通信システムにおける、無線端末装置の受信品質のシミュレーション結果を示す図である。
【０１８１】
図１０は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０１８２】
図１０において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０１８３】
図１０を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０１８４】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０１８５】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０１８６】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０１８７】
たとえば、ヒステリシスＨＳおよびＴＴＴは後述するイベントごとに設定可能であり、オフセットＯＳＴはサービング基地局の形成するサービングセル、および周辺セルごとに設定可能であり、後述するギャップＭＧおよびフィルタリング係数αはサービングセルごとに設定可能である。
【０１８８】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０１８９】
以下、測定結果通知を送信する各種イベントと電力測定処理のパラメータとの関係について説明する。
【０１９０】
図１１は、本発明の実施の形態に係る無線通信システムにおいて、無線端末装置が測定結果通知を送信するイベントＡ１を示す図である。図１１において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０１９１】
図１１を参照して、イベントＡ１では、閾値Ｔｈに対して正負の方向にヒステリシスＨＳが設定される。
【０１９２】
無線端末装置２０２は、サービングセルの受信電力またはＳＩＮＲが（Ｔｈ＋ＨＳ）よりも大きくなると、レポートオン状態へ遷移する（タイミングＴ１）。
【０１９３】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０１９４】
次に、無線端末装置２０２は、当該条件が満たされた状態でタイミングＴ２からＴＴＴ経過すると、測定結果通知を送信する（タイミングＴ３）。
【０１９５】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０１９６】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０１９７】
図１２は、本発明の実施の形態に係る無線通信システムにおいて、無線端末装置が測定結果通知を送信するイベントＡ２を示す図である。図の見方は図１１と同様である。
【０１９８】
図１２を参照して、イベントＡ２では、閾値Ｔｈに対して正負の方向にヒステリシスＨＳが設定される。
【０１９９】
無線端末装置２０２は、サービングセルの受信電力またはＳＩＮＲが（Ｔｈ−ＨＳ）よりも小さくなると、レポートオン状態へ遷移する（タイミングＴ１１）。
【０２００】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０２０１】
次に、無線端末装置２０２は、当該条件が満たされた状態でタイミングＴ１２からＴＴＴ経過すると、測定結果通知を送信する（タイミングＴ１３）。
【０２０２】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０２０３】
図１３は、本発明の実施の形態に係る無線通信システムにおいて、無線端末装置が測定結果通知を送信するイベントＡ３を示す図である。図１３において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０２０４】
図１３を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０２０５】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０２０６】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０２０７】
次に、無線端末装置２０２は、当該条件が満たされた状態でタイミングＴ２２からＴＴＴ経過すると、測定結果通知を送信する（タイミングＴ２３）。
【０２０８】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０２０９】
図１４は、本発明の実施の形態に係る無線通信システムにおいて、無線端末装置が測定結果通知を送信するイベントＡ４を示す図である。図の見方は図１３と同様である。
【０２１０】
図１４を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０２１１】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０２１２】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０２１３】
次に、無線端末装置２０２は、当該条件が満たされた状態でタイミングＴ３２からＴＴＴ経過すると、測定結果通知を送信する（タイミングＴ３３）。
【０２１４】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０２１５】
図１５は、本発明の実施の形態に係る無線通信システムにおいて、無線端末装置が測定結果通知を送信するイベントＡ５を示す図である。図の見方は図１３と同様である。
【０２１６】
図１５を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０２１７】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０２１８】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０２１９】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０２２０】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０２２１】
図１６は、本発明の実施の形態に係る無線通信システムにおいて、ヒステリシスＨＳの調整によるハンドオーバ動作のタイミング制御を示す図である。図１６は、イベントＡ３の場合を示す。
【０２２２】
図１６を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０２２３】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０２２４】
すなわち、ヒステリシスＨＳを大きくすると、測定結果通知の送信タイミングすなわちハンドオーバ動作のタイミングを遅くすることができる。
【０２２５】
図１７は、本発明の実施の形態に係る無線通信システムにおいて、ＴＴＴの調整によるハンドオーバ動作のタイミング制御を示す図である。図１７は、イベントＡ３の場合を示す。
【０２２６】
図１７を参照して、ＴＴＴを小さく設定した場合には、タイミングＴ６２において測定結果通知が送信される。
【０２２７】
これに対して、ＴＴＴを大きく設定した場合には、タイミングＴ６１より後のタイミングＴ６３において測定結果通知が送信される。
【０２２８】
すなわち、ＴＴＴを大きくすると、測定結果通知の送信タイミングすなわちハンドオーバ動作のタイミングを遅くすることができる。
【０２２９】
図１８は、本発明の実施の形態に係る無線通信システムにおいて、オフセットＯＳＴの調整によるハンドオーバ動作のタイミング制御を示す図である。図１８は、イベントＡ３の場合を示す。
【０２３０】
図１８を参照して、オフセットＯＳＴをゼロに設定した場合には、タイミングＴ７１においてレポ−トオン状態へ遷移し、タイミングＴ７３において測定結果通知が送信され、タイミングＴ７５においてレポートオフ状態へ遷移する。
【０２３１】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７５より後のタイミングＴ７６においてレポートオフ状態へ遷移する。
【０２３２】
すなわち、オフセットＯＳＴを小さくすると、測定結果通知の送信タイミングすなわちハンドオーバ動作のタイミングを遅くすることができる。
【０２３３】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０２３４】
ここで、ヒステリシスＨＳ、ＴＴＴおよびオフセットＯＳＴを調整する効果の違いについて考察する。
【０２３５】
いずれのパラメータを調整しても、ハンドオーバのタイミングを調整することができるが、これらの効果は、干渉を含む地形、および無線端末装置の移動速度等によって異なる。
【０２３６】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０２３７】
また、ヒステリシスＨＳおよびオフセットＯＳＴは、無線端末装置の移動速度による影響を受けにくいパラメータである。
【０２３８】
図１９は、本発明の実施の形態に係る無線通信システムにおける、各位置の無線信号の受信電力の一例を示す図である。
【０２３９】
図１９を参照して、受信電力が極大値となる位置Ｐ１，Ｐ３，Ｐ５では、ヒステリシスＨＳを調整することにより、ハンドオーバ動作のタイミングを調整することが好ましい。また、受信電力が極小値となる位置Ｐ２，Ｐ４，Ｐ６では、オフセットＯＳＴを調整することにより、ハンドオーバ動作のタイミングを調整することが好ましい。
【０２４０】
一方、ＴＴＴは、ハンドオーバ動作のタイミングを時間領域で遅らせることが可能なパラメータである。ＴＴＴを調整する場合には、ハンドオーバ動作のタイミングが電波環境および地形に依存しない代わりに、ハンドオーバの行なわれる位置が無線端末装置２０２の移動速度によって大きく変わることになる。たとえば、ＴＴＴを大きく設定しすぎると、高速で移動する無線端末装置では、周囲の電波環境の変化が大きいため、ハンドオーバの失敗が生じやすくなる。
【０２４１】
図２０は、本発明の実施の形態に係る無線通信システムにおいて、ハンドオーバ動作のタイミングを制御するためのパラメータの他の例を説明するための図である。
【０２４２】
図２０を参照して、無線端末装置２０２は、たとえばギャップＭＧの時間間隔で、無線基地局装置から送信される無線信号の受信電力を測定する。
【０２４３】
ギャップＭＧを大きくする場合には、より過去の受信電力がハンドオーバの判断に用いられることになるため、ハンドオーバ動作のタイミングが遅くなる。一方、ギャップＭＧを小さくする場合には、より最近の受信電力がハンドオーバの判断に用いられることになるため、ハンドオーバ動作のタイミングが早くなる。
【０２４４】
ギャップＭＧを小さくすることにより、より最近の受信電力に基づいた適切なハンドオーバを行なうことが可能となる。一方、ギャップＭＧを大きくすることにより、無線端末装置２０２の処理負荷を低減することができる。
【０２４５】
また、無線端末装置２０２は、たとえば、時刻（ｔ−１）において測定した受信電力Ｍ（ｔ−１）、時刻（ｔ−１）より後の時刻ｔにおいて測定した受信電力Ｍ（ｔ）およびフィルタリング係数αから、以下の式で表される受信電力ＭＲ（ｔ）を算出する。
ＭＲ（ｔ）＝α×Ｍ（ｔ−１）＋（１−α）×Ｍ（ｔ）
【０２４６】
無線端末装置２０２は、受信電力ＭＲ（ｔ）を示す測定結果通知を無線基地局装置へ送信する。
【０２４７】
フィルタリング係数αを大きくする場合には、より過去の受信電力が測定結果通知に反映されることになるため、ハンドオーバ動作のタイミングが遅くなる。一方、フィルタリング係数αを小さくする場合には、より最近の受信電力が測定結果通知に反映されることになるため、ハンドオーバ動作のタイミングが早くなる。
【０２４８】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。また、測定開始要求には、サービングセルごとにギャップＭＧおよびフィルタリング係数αが設定される。
【０２４９】
［無線基地局装置］
図２１は、本発明の実施の形態に係る無線基地局装置の構成を示す図である。
図２１を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０２５０】
サーキュレータ９２は、アンテナ９１において受信された無線端末装置２０２からの無線信号を無線受信部９３へ出力し、また、無線送信部９４から受けた無線信号をアンテナ９１へ出力する。
【０２５１】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０２５２】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０２５３】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０２５４】
無線送信部９４は、送信信号処理部９７から受けたデジタル信号をアナログ信号に変換し、変換したアナログ信号を無線信号に周波数変換してサーキュレータ９２へ出力する。
【０２５５】
制御部９８は、無線基地局装置１０１における各ユニットおよびコアネットワークとの間で各種情報をやり取りする。
【０２５６】
図２２は、本発明の実施の形態に係る無線基地局装置における制御部の構成を示す図である。
【０２５７】
図２２を参照して、制御部９８は、端末電力情報取得部１１と、ハンドオーバ制御部（移動動作制御部）１２と、端末電力推定部１３と、基地局測定部１４と、端末測定結果取得部１５と、基地局間距離推定部１６とを含む。
【０２５８】
端末電力情報取得部１１は、自己の無線基地局装置の形成するセルに在圏する無線端末装置２０２における無線信号の受信電力の、無線端末装置２０２の位置変化に対する変化度合い（以下、電力変化量ＰＣとも称する。）を示す端末電力情報を取得する。なお、この変化度合いは、「大きい」「小さい」等の程度表現であってもよいし、数値表現であってもよい。
【０２５９】
ここで、無線通信システム３０１におけるいずれの位置の電力変化量ＰＣを取得すべきかを考えた場合、端末電力情報取得部１１は、無線端末装置２０２において、自己の無線基地局装置が送信する無線信号の受信品質を示す指標、たとえばＳＩＮＲが所定値以下となる状態における電力変化量ＰＣを取得する構成が好ましい。あるいは、端末電力情報取得部１１は、無線端末装置２０２において、他の無線基地局装置が送信する無線信号の受信電力が所定値以上となる状態における電力変化量ＰＣを示す端末電力情報を取得する構成が好ましい。
【０２６０】
ハンドオーバ制御部１２は、端末電力情報取得部１１によって取得された端末電力情報に基づいて、自己の無線基地局装置から他の無線基地局装置への無線端末装置２０２のハンドオーバ動作のタイミングを制御する。
【０２６１】
より詳細には、ハンドオーバ制御部１２は、端末電力情報が示す電力変化量ＰＣが大きい場合には、ハンドオーバ動作のタイミングが早まるように制御し、電力変化量ＰＣが小さい場合には、ハンドオーバ動作のタイミングが遅くなるように制御する。
【０２６２】
また、ハンドオーバ制御部１２は、端末電力情報が示す電力変化量ＰＣが大きい場合には、ハンドオーバ動作のタイミング制御幅すなわちパラメータの変更幅を大きく設定し、電力変化量ＰＣが小さい場合には、ハンドオーバ動作のタイミング制御幅を小さく設定する。
【０２６３】
ハンドオーバ制御部１２は、設定したパラメータを示す制御情報を送信信号処理部９７へ出力する。
【０２６４】
送信信号処理部９７は、ハンドオーバ制御部１２から受けた制御情報の示すパラメータを通信データに含め、無線送信部９４へ出力する。
【０２６５】
基地局測定部１４は、無線受信部９３が受信した無線信号に基づいて、無線端末装置２０２から受信した無線信号の受信電力および周波数、ならびに他の無線基地局装置が送信した無線信号の受信電力等を測定する。
【０２６６】
基地局間距離推定部１６は、他の無線基地局装置が送信する無線信号の送信電力と、他の無線基地局装置が送信する無線信号の、自己の無線基地局装置の形成するセルにおける受信電力との差である下りパスロスに基づいて、自己の無線基地局装置と他の無線基地局装置との基地局間距離Ｒを推定する。
【０２６７】
ここで、端末測定結果取得部１５は、受信信号処理部９６の信号処理結果を用いて、無線端末装置２０２が送信した測定結果通知を取得する。
【０２６８】
基地局間距離推定部１６は、たとえば端末測定結果取得部１５の取得した測定結果通知を参照することにより、自己の無線基地局装置の形成するセルにおける他の無線基地局装置からの無線信号の受信電力を取得する。なお、基地局間距離推定部１６は、測定結果通知の示す受信電力の代わりに、自己の無線基地局装置のセル半径が小さい場合には、基地局測定部１４が測定した他の無線基地局装置からの無線信号の受信電力を取得する構成であってもよい。
【０２６９】
端末電力推定部１３は、基地局間距離推定部１６によって推定された基地局間距離Ｒに基づいて電力変化量ＰＣを推定する。
【０２７０】
端末電力情報取得部１１は、端末電力推定部１３によって推定された電力変化量ＰＣを端末電力情報として取得する。
【０２７１】
あるいは、端末電力推定部１３は、自己の無線基地局装置および他の無線基地局装置から送信される無線信号の送信電力差ＰＤに基づいて電力変化量ＰＣを推定する。
【０２７２】
あるいは、端末電力推定部１３は、自己の無線基地局装置の形成するセルに在圏する無線端末装置２０２の移動速度に基づいて電力変化量ＰＣを推定する。ここで、無線端末装置２０２の移動速度とは、無線端末装置２０２の物理的な移動速度、たとえば時速［ｋｍ／ｈ］を意味する。
【０２７３】
あるいは、端末電力推定部１３は、他の無線基地局装置が送信する無線信号の送信電力と、他の無線基地局装置が送信する無線信号の、自己の無線基地局装置の形成するセルにおける受信電力との差である下りパスロスの時間的な変化に基づいて電力変化量ＰＣを推定する。
【０２７４】
あるいは、端末電力推定部１３は、自己の無線基地局装置の形成するセルに在圏する無線端末装置２０２が送信する無線信号の送信電力と、自己の無線基地局装置における無線信号の受信電力との差である上りパスロスの時間的な変化に基づいて電力変化量ＰＣを推定する。
【０２７５】
あるいは、端末電力推定部１３は、自己の無線基地局装置の形成するセルに在圏する無線端末装置２０２が送信する無線信号の周波数と、自己の無線基地局装置が受信した無線信号の周波数との差であるドップラーシフトに基づいて電力変化量ＰＣを推定する。
【０２７６】
あるいは、端末電力推定部１３は、無線端末装置２０２における無線信号の受信電力の時間的な変化であるシャドウィングに基づいて電力変化量ＰＣを推定する。
【０２７７】
たとえば、端末電力推定部１３は、端末測定結果取得部１５の取得した測定結果通知を参照することにより、自己の無線基地局装置の形成するセルに在圏する無線端末装置２０２における無線信号の受信電力の測定結果に基づいて受信電力の時間的な変化を取得する。
【０２７８】
また、たとえば、端末電力推定部１３は、自己の無線基地局装置の形成するセルに在圏する複数の無線端末装置２０２のうち、移動速度の大きい無線端末装置２０２の受信電力の時間的な変化に基づいて電力変化量ＰＣを推定する。
【０２７９】
［ハンドオーバ動作の最適化処理］
次に、本発明の実施の形態に係る無線基地局装置がハンドオーバ動作の最適化処理を行なう際の動作について詳細に説明する。
【０２８０】
ここでは、一例として、フェムト基地局による、自己からマクロ基地局への無線端末装置２０２のハンドオーバ動作のタイミング制御について説明するが、基地局の種別は本例に限定するものではなく、他の組み合わせであってもよい。
【０２８１】
図２３は、基地局間距離による電力変化量の相違を説明するための図である。図２３において、横軸は無線端末装置２０２の位置であり、縦軸は無線端末装置２０２における無線信号の受信電力である。
【０２８２】
図２３を参照して、セルＣ１〜Ｃ３の送信電力は等しい。この場合、ピーク位置が距離Ｄ１離れたセルＣ１およびセルＣ２のセルエッジＣＥＧ１では、ピーク位置が距離Ｄ１より大きい距離Ｄ２離れたセルＣ１およびセルＣ３のセルエッジＣＥＧ２と比べて、電力変化量ＰＣが大きくなる。
【０２８３】
本発明の実施の形態に係る無線基地局装置では、たとえばこの関係を利用してパラメータ調整を行なう。
【０２８４】
図２４は、本発明の実施の形態に係る無線基地局装置がハンドオーバ動作の最適化処理を行なう際の動作手順を定めたシーケンス図である。
【０２８５】
図２４を参照して、まず、無線端末装置２０２は、各無線基地局装置から送信される無線信号の受信電力を測定し、測定した受信電力の測定結果を示す測定結果通知をフェムト基地局へ送信する（ステップＳ１６１）。
【０２８６】
次に、フェムト基地局は、無線端末装置２０２から受信した測定結果通知により、自己が送信する無線信号の、当該無線端末装置２０２における受信電力を取得する（ステップＳ１６２）。
【０２８７】
次に、フェムト基地局は、マクロ基地局の無線信号の送信電力を取得する。たとえば、フェムト基地局は、マクロ基地局から受信した報知情報に含まれる送信電力値を取得するか、あるいはユーザが事前に設定した送信電力値を取得する（ステップＳ１６３）。
【０２８８】
次に、フェムト基地局は、マクロ基地局の無線信号の送信電力および無線端末装置２０２における当該無線信号の受信電力の差である下りパスロスを求める。そして、フェムト基地局は、下りパスロスに基づいて自己とマクロ基地局との基地局間距離Ｒを算出する（ステップＳ１６４）。
【０２８９】
ここで、フェムト基地局は、たとえば以下の式で表わされる式を用いて、基地局間距離Ｒを算出する。
パスロス＝１２８．１＋３７．６ｌｏｇ10（Ｒ）
【０２９０】
次に、フェムト基地局は、自己の形成するフェムトセルとマクロセルとのセルエッジにおける電力変化量ＰＣを推測する。たとえば、フェムト基地局は、基地局間距離Ｒが所定の閾値より大きい場合には電力変化量ＰＣが小さいと判断し、基地局間距離Ｒが所定の閾値より小さい場合には電力変化量ＰＣが大きいと判断する（ステップＳ１６５）。
【０２９１】
次に、フェムト基地局は、推測した電力変化量ＰＣの大小に応じてハンドオーバ動作のパラメータを設定する。たとえば、フェムト基地局は、電力変化量ＰＣが小さい場合には、ハンドオーバ動作のタイミングが遅くなるようにパラメータを設定する。具体的には、ヒステリシスＨＳを大きくするか、ＴＴＴを大きくするか、オフセットＯＳＴを小さくするか、ギャップＭＧを大きくするか、あるいはフィルタリング係数αを大きくする。一方、フェムト基地局は、電力変化量ＰＣが大きい場合には、ハンドオーバ動作のタイミングが早くなるようにパラメータを設定する。具体的には、ヒステリシスＨＳを小さくするか、ＴＴＴを小さくするか、オフセットＯＳＴを大きくするか、ギャップＭＧを小さくするか、あるいはフィルタリング係数αを小さくする（ステップＳ１６６）。
【０２９２】
次に、フェムト基地局は、新たに設定したパラメータを含めてＲＲＣコネクション再構成指示（RRC Connection Reconfiguration）を無線端末装置２０２へ送信する。なお、ＲＲＣコネクション再構成指示の送信先となる無線端末装置２０２は、上記測定結果通知の送信元の無線端末装置２０２に限らず、フェムト基地局の形成するセルに在圏する無線端末装置２０２であればよい（ステップＳ１６７）。
【０２９３】
次に、無線端末装置２０２は、フェムト基地局から受信したＲＲＣコネクション再構成指示が示す新たな設定パラメータに従い、各無線基地局装置から送信される無線信号の受信電力の測定および測定結果通知の送信を行なう（ステップＳ１６８）。また、無線通信システムにおいて、通常の運用が行なわれる（ステップＳ１６９）。
【０２９４】
次に、フェムト基地局は、”Ｔｏｏ  Ｌａｔｅ  ＨＯ”、”Ｔｏｏ  Ｅａｒｌｙ  ＨＯ”、”ＨＯ  ｔｏ  Ｗｒｏｎｇ  Ｃｅｌｌ”または”Ｐｉｎｇ  Ｐｏｎｇ  ＨＯ”の異常ハンドオーバを検出すると（ステップＳ１７０でＹＥＳ）、検出した異常ハンドオーバの発生頻度を更新する（ステップＳ１７１）。
【０２９５】
次に、フェムト基地局は、”Ｔｏｏ  Ｅａｒｌｙ  ＨＯ”の発生頻度ＥＦ、”ＨＯ  ｔｏ  Ｗｒｏｎｇ  Ｃｅｌｌ”の発生頻度ＷＦまたは”Ｐｉｎｇ  Ｐｏｎｇ  ＨＯ”の発生頻度ＰＦが、所定の閾値ＴｈＥ、ＴｈＷまたはＴｈＰよりも大きい場合には（ステップＳ１７２でＹＥＳ）、ハンドオーバ動作のタイミングが遅くなるようにパラメータを設定するとともに、推測した電力変化量ＰＣの大小に応じてパラメータの制御幅すなわちステップサイズを設定する。たとえば、フェムト基地局は、電力変化量ＰＣが小さい場合にはステップサイズを小さく設定し、電力変化量ＰＣが大きい場合にはステップサイズを大きく設定する。
【０２９６】
一方、フェムト基地局は、発生頻度ＥＦ、発生頻度ＷＦまたは発生頻度ＰＦが、所定の閾値ＴｈＥ、ＴｈＷまたはＴｈＰよりも小さい場合であって（ステップＳ１７２でＮＯ）、”Ｔｏｏ  Ｌａｔｅ  ＨＯ”の発生頻度ＬＦが所定の閾値ＴｈＬよりも大きいときには（ステップＳ１７４でＹＥＳ）、ハンドオーバ動作のタイミングが早くなるようにパラメータを設定するとともに、推測した電力変化量ＰＣの大小に応じてパラメータの制御幅すなわちステップサイズを設定する。たとえば、フェムト基地局は、電力変化量ＰＣが小さい場合にはステップサイズを小さく設定し、電力変化量ＰＣが大きい場合にはステップサイズを大きく設定する。
【０２９７】
次に、フェムト基地局は、新たに設定したパラメータを含めてＲＲＣコネクション再構成指示（RRC Connection Reconfiguration）を無線端末装置２０２へ送信する。なお、ＲＲＣコネクション再構成指示の送信先となる無線端末装置２０２は、上記測定結果通知の送信元の無線端末装置２０２に限らず、フェムト基地局の形成するセルに在圏する無線端末装置２０２であればよい（ステップＳ１７６）。
【０２９８】
次に、無線端末装置２０２は、フェムト基地局から受信したＲＲＣコネクション再構成指示が示す新たな設定パラメータに従い、各無線基地局装置から送信される無線信号の受信電力の測定および測定結果通知の送信を行なう（ステップＳ１７７）。そして、無線通信システムにおいて、通常の運用が行なわれる（ステップＳ１７８）。
【０２９９】
以降、異常ハンドオーバが検出されるたびにパラメータの変更判断および設定処理が繰り返され、ハンドオーバ動作が最適化される。
【０３００】
図２５は、基地局間の送信電力差による電力変化量の相違を説明するための図である。図の見方は図２３と同様である。
【０３０１】
図２５を参照して、セルＣ１およびセルＣ２間の距離とセルＣ１およびセルＣ４間の距離とは等しい。この場合、送信電力差がＰＷであるセルＣ１およびセルＣ４のセルエッジＣＥＧ３では、送信電力差がゼロであるセルＣ１およびセルＣ２のセルエッジＣＥＧ１と比べて、電力変化量ＰＣが大きくなる。
【０３０２】
本発明の実施の形態に係る無線基地局装置では、たとえばこの関係を利用してパラメータ調整を行なう。
【０３０３】
図２６は、本発明の実施の形態に係る無線基地局装置がハンドオーバ動作の最適化処理を行なう際の動作手順の他の例を定めたシーケンス図である。
【０３０４】
図２６を参照して、まず、フェムト基地局は、マクロ基地局の無線信号の送信電力を取得する。たとえば、フェムト基地局は、マクロ基地局から受信した報知情報に含まれる送信電力値を取得するか、あるいはユーザが事前に設定した送信電力値を取得する（ステップＳ１８１）。
【０３０５】
次に、フェムト基地局は、自己の送信電力およびマクロ基地局の送信電力の差である送信電力差ＰＤを求める（ステップＳ１８２）。
【０３０６】
次に、フェムト基地局は、自己の形成するフェムトセルとマクロセルとのセルエッジにおける電力変化量ＰＣを推測する。たとえば、フェムト基地局は、送信電力差ＰＤが所定の閾値より小さい場合には電力変化量ＰＣが小さいと判断し、送信電力差ＰＤが所定の閾値より大きい場合には電力変化量ＰＣが大きいと判断する（ステップＳ１８３）。
【０３０７】
以降の動作（ステップＳ１８４〜Ｓ１９６）は、図２４に示すシーケンス図における動作（ステップＳ１６６〜Ｓ１７８）と同様であるため、ここでは詳細な説明を繰り返さない。
【０３０８】
なお、フェムト基地局は、基地局間距離Ｒおよび送信電力差ＰＤの両方を用いて電力変化量ＰＣを求めてもよい。たとえば、電力変化量ＰＣを示す評価関数Ｊ（｜Ｒ｜、｜ＰＤ｜）＝｜ＰＤ｜＋Ｃ／｜Ｒ｜を用いる方法が考えられる。ただし、Ｃは定数である。
【０３０９】
すなわち、基地局間距離Ｒが大きくなると評価関数Ｊの値すなわち電力変化量ＰＣが小さくなり、送信電力差ＰＤが大きくなると評価関数Ｊの値すなわち電力変化量ＰＣが大きくなる。
【０３１０】
図２７は、本発明の実施の形態に係る無線基地局装置がハンドオーバ動作の最適化処理を行なう際の動作手順の他の例を定めたシーケンス図である。
【０３１１】
図２７を参照して、まず、フェムト基地局は、自己の形成するセルにおける無線端末装置２０２の滞在時間を取得する（ステップＳ２０１）。
【０３１２】
次に、フェムト基地局は、自己の無線信号の送信電力に基づいて、自己の形成するセルの半径を求める（ステップＳ２０２）。
【０３１３】
次に、フェムト基地局は、無線端末装置２０２の滞在時間および自己のセル半径から無線端末装置２０２の移動速度を求める。具体的には、（セル半径／滞在時間）を算出して移動速度を求めることができる（ステップＳ２０３）。
【０３１４】
次に、フェムト基地局は、自己の形成するフェムトセルとマクロセルとのセルエッジにおける電力変化量ＰＣを推測する。たとえば、フェムト基地局は、求めた移動速度が所定の閾値より小さい場合には電力変化量ＰＣが小さいと判断し、求めた移動速度が所定の閾値より大きい場合には電力変化量ＰＣが大きいと判断する（ステップＳ２０４）。
【０３１５】
以降の動作（ステップＳ２０５〜Ｓ２１７）は、図２４に示すシーケンス図における動作（ステップＳ１６６〜Ｓ１７８）と同様であるため、ここでは詳細な説明を繰り返さない。
【０３１６】
なお、移動速度は、自セルにおける複数の無線端末装置２０２の情報を用いてもよい。たとえば、各無線端末装置２０２のうち、最大の移動速度を用いてもよいし、各無線端末装置２０２の移動速度の平均値を用いてもよい。
【０３１７】
また、無線端末装置２０２の移動速度は、無線端末装置２０２の位置情報から求めてもよい。たとえば、ＧＰＳ（Global Positioning System）を利用することが可能である。
【０３１８】
あるいは、３ＧＰＰで規定されたＬＰＰ（LTE Positioning Protocol）を利用することが可能である。すなわち、ダウンリンクＬＰＰにおいて、まず、３つ以上の無線基地局装置からＬＰＰ専用の信号を送信する。次に、無線端末装置２０２において各無線基地局装置からの当該信号の受信タイミングの差を算出し、サービング基地局に算出結果を通知する。次に、サービング基地局は、通知された受信タイミングの差に基づいて無線端末装置２０２の位置を推定する。
【０３１９】
また、アップリンクＬＰＰにおいて、まず、無線端末装置２０２がＬＰＰ専用の信号を送信する。次に、各無線基地局装置において、当該信号の受信タイミングを算出する。次に、各無線基地局装置の上位装置が、各無線基地局装置において算出された受信タイミングを取得し、これらのタイミング差に基づいて無線端末装置２０２の位置を推定する。
【０３２０】
図２８は、本発明の実施の形態に係る無線基地局装置がハンドオーバ動作の最適化処理を行なう際の動作手順の他の例を定めたシーケンス図である。
【０３２１】
図２８を参照して、まず、無線端末装置２０２は、各無線基地局装置から送信される無線信号の受信電力を測定し、測定した受信電力の測定結果を示す測定結果通知をフェムト基地局へ送信する（ステップＳ２２１）。
【０３２２】
次に、フェムト基地局は、無線端末装置２０２から受信した測定結果通知により、自己が送信する無線信号の、当該無線端末装置２０２における受信電力を取得する（ステップＳ２２２）。
【０３２３】
次に、フェムト基地局は、自己の送信電力および取得した無線端末装置２０２における受信電力の差である下りパスロスを求める。さらに、フェムト基地局は、異なるタイミングにおける上記受信電力を複数取得し、下りパスロスの時間的な変動量を算出する（ステップＳ２２３）。
【０３２４】
ここで、上記変動量は、無線端末装置２０２が時刻（ｔ−１）において測定した受信電力に基づくパスロスＰＬ（ｔ−１）、および時刻（ｔ−１）より後の時刻ｔにおいて測定した受信電力に基づくパスロスＰＬ（ｔ）を用いて、以下の期待値Ｅとして表される。
Ｅ［｜ＰＬ（ｔ）−ＰＬ（ｔ−１）｜2］
【０３２５】
次に、フェムト基地局は、自己の形成するフェムトセルとマクロセルとのセルエッジにおける電力変化量ＰＣを推測する。たとえば、フェムト基地局は、求めたパスロス変動量が所定の閾値より小さい場合には電力変化量ＰＣが小さいと判断し、求めたパスロス変動量が所定の閾値より大きい場合には電力変化量ＰＣが大きいと判断する（ステップＳ２２４）。
【０３２６】
以降の動作（ステップＳ２２５〜Ｓ２３７）は、図２４に示すシーケンス図における動作（ステップＳ１６６〜Ｓ１７８）と同様であるため、ここでは詳細な説明を繰り返さない。
【０３２７】
図２９は、本発明の実施の形態に係る無線基地局装置がハンドオーバ動作の最適化処理を行なう際の動作手順の他の例を定めたシーケンス図である。
【０３２８】
図２９を参照して、まず、フェムト基地局は、自己の形成するセルに在圏する無線端末装置２０２の無線信号の送信電力、および自己における当該無線端末装置２０２からの無線信号の受信電力を取得する。そして、フェムト基地局は、これらの送信電力および受信電力の差である上りパスロスを求める。さらに、フェムト基地局は、異なるタイミングにおける上記受信電力を複数取得し、上りパスロスの時間的な変動量を算出する（ステップＳ２４１）。
【０３２９】
ここで、上記変動量は、フェムト基地局が時刻（ｔ−１）において測定した受信電力に基づくパスロスＰＬ（ｔ−１）、および時刻（ｔ−１）より後の時刻ｔにおいて測定した受信電力に基づくパスロスＰＬ（ｔ）を用いて、以下の期待値Ｅとして表される。
Ｅ［｜ＰＬ（ｔ）−ＰＬ（ｔ−１）｜2］
【０３３０】
次に、フェムト基地局は、自己の形成するフェムトセルとマクロセルとのセルエッジにおける電力変化量ＰＣを推測する。たとえば、フェムト基地局は、求めたパスロス変動量が所定の閾値より小さい場合には電力変化量ＰＣが小さいと判断し、求めたパスロス変動量が所定の閾値より大きい場合には電力変化量ＰＣが大きいと判断する（ステップＳ２４２）。
【０３３１】
以降の動作（ステップＳ２４３〜Ｓ２５５）は、図２４に示すシーケンス図における動作（ステップＳ１６６〜Ｓ１７８）と同様であるため、ここでは詳細な説明を繰り返さない。
【０３３２】
図３０は、本発明の実施の形態に係る無線基地局装置がハンドオーバ動作の最適化処理を行なう際の動作手順の他の例を定めたシーケンス図である。
【０３３３】
図３０を参照して、まず、フェムト基地局は、自己の形成するセルに在圏する無線端末装置２０２が送信する無線信号の周波数を取得する（ステップＳ２６１）。
【０３３４】
次に、フェムト基地局は、自己が設定したアップリンクの周波数、すなわち上記無線端末装置２０２が送信する無線信号の周波数と、測定した周波数との差であるドップラーシフトを算出する（ステップＳ２６２）。
【０３３５】
ここで、無線端末装置２０２が静止している場合にはドップラーシフトはゼロとなり、無線端末装置２０２の移動速度が大きくなるにつれてドップラーシフトは大きくなる。
【０３３６】
次に、フェムト基地局は、自己の形成するフェムトセルとマクロセルとのセルエッジにおける電力変化量ＰＣを推測する。たとえば、フェムト基地局は、求めたドップラーシフトが所定の閾値より小さい場合には電力変化量ＰＣが小さいと判断し、求めたドップラーシフトが所定の閾値より大きい場合には電力変化量ＰＣが大きいと判断する（ステップＳ２６３）。
【０３３７】
以降の動作（ステップＳ２６４〜Ｓ２７６）は、図２４に示すシーケンス図における動作（ステップＳ１６６〜Ｓ１７８）と同様であるため、ここでは詳細な説明を繰り返さない。
【０３３８】
図３１は、本発明の実施の形態に係る無線基地局装置がハンドオーバ動作の最適化処理を行なう際の動作手順の他の例を定めたシーケンス図である。
【０３３９】
図３１を参照して、まず、無線端末装置２０２は、各無線基地局装置から送信される無線信号の受信電力を測定し、測定した受信電力の測定結果を示す測定結果通知をフェムト基地局へ送信する（ステップＳ２８１）。
【０３４０】
次に、フェムト基地局は、無線端末装置２０２から受信した測定結果通知により、自己または他の無線基地局装置が送信する無線信号の、当該無線端末装置２０２における受信電力を取得する。さらに、フェムト基地局は、異なるタイミングにおける上記受信電力を複数取得し、無線端末装置２０２における無線信号の受信電力の時間的な変動量を算出する。フェムト基地局は、この変動量から、シャドウィングの大小を判断する（ステップＳ２８２）。
【０３４１】
ここで、上記変動量は、無線端末装置２０２が時刻（ｔ−１）において測定した受信電力Ｍ（ｔ−１）、および時刻（ｔ−１）より後の時刻ｔにおいて測定した受信電力Ｍ（ｔ）を用いて、以下の期待値Ｅとして表される。
Ｅ［｜Ｍ（ｔ）−Ｍ（ｔ−１）｜2］
【０３４２】
なお、フェムト基地局は、複数の無線端末装置２０２からの測定結果通知を用いてもよい。たとえば、複数の無線端末装置２０２のうち、変動量の大きいものを用いてもよいし、複数の無線端末装置２０２の変動量を平均する等の統計処理を行ったものを用いてもよいし、ランダムに抽出した１または複数の無線端末装置２０２の変動量を用いてもよいし、測定結果通知に含まれる無線端末装置２０２の移動速度のパラメータを参照して、移動速度の大きい無線端末装置２０２の変動量を用いてもよい。また、これらの算出方法を組み合わせてもよい。
【０３４３】
次に、フェムト基地局は、自己の形成するフェムトセルとマクロセルとのセルエッジにおける電力変化量ＰＣを推測する。たとえば、フェムト基地局は、求めたシャドウィングが小さい場合には電力変化量ＰＣが小さいと判断し、求めたシャドウィングが大きい場合には電力変化量ＰＣが大きいと判断する（ステップＳ２８３）。
【０３４４】
以降の動作（ステップＳ２８４〜Ｓ２９６）は、図２４に示すシーケンス図における動作（ステップＳ１６６〜Ｓ１７８）と同様であるため、ここでは詳細な説明を繰り返さない。
【０３４５】
ところで、非特許文献１に記載されるような不適切なハンドオーバ動作が行なわれると、通信システムにおいて、通信断および通信トラフィックの増大等、種々の問題が生じる。
【０３４６】
これに対して、本発明の実施の形態に係る無線基地局装置では、端末電力情報取得部１１は、自己の無線基地局装置の形成するセルに在圏する無線端末装置２０２における無線信号の受信電力の、無線端末装置２０２の位置変化に対する変化度合いを示す端末電力情報を取得する。そして、ハンドオーバ制御部１２は、端末電力情報取得部１１によって取得された端末電力情報に基づいて、自己の無線基地局装置から他の無線基地局装置への無線端末装置２０２のハンドオーバ動作のタイミングを制御する。
【０３４７】
このような構成により、無線端末装置２０２の位置変化に伴う受信状態の変化を用いてハンドオーバ動作のタイミングを適切に制御することができるため、不適切なハンドオーバ動作を抑制し、良好な通信システムを構築することができる。
【０３４８】
したがって、本発明の実施の形態に係る無線基地局装置では、無線端末装置のハンドオーバ動作を適切に制御することにより、通信の安定化を図ることができる。
【０３４９】
また、本発明の実施の形態に係る無線基地局装置では、ハンドオーバ制御部１２は、端末電力情報が示す上記変化度合いが大きい場合には、ハンドオーバ動作のタイミングが早まるように制御し、上記変化度合いが小さい場合には、ハンドオーバ動作のタイミングが遅くなるように制御する。
【０３５０】
このような構成により、ハンドオーバ動作のタイミングを制御するためのパラメータを適切に設定し、ハンドオーバ動作を最適化することができる。
【０３５１】
”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”のパラメータ調整と”Ｔｏｏ  Ｌａｔｅ  ＨＯ”のパラメータ調整とは、互いにトレードオフの関係にある。すなわち、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”を生じにくくするためのパラメータ変更は、”Ｔｏｏ  Ｌａｔｅ  ＨＯ”を生じやすくなるパラメータ変更となる場合があり、”Ｔｏｏ  Ｌａｔｅ  ＨＯ”を生じにくくするためのパラメータ変更は、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”を生じやすくなるパラメータ変更となる場合がある。すなわち、電波環境によっては、パラメータ調整が収束しない場合がある。
【０３５２】
そこで、本発明の実施の形態に係る無線基地局装置では、ハンドオーバ制御部１２は、端末電力情報が示す上記変化度合いが大きい場合には、ハンドオーバ動作のタイミング制御幅を大きく設定し、上記変化度合いが小さい場合には、ハンドオーバ動作のタイミング制御幅を小さく設定する。
【０３５３】
このように、パラメータ調整のステップサイズを適応的に変えることにより、ハンドオーバ動作の最適化処理の収束速度および安定性を高めることができる。
【０３５４】
また、本発明の実施の形態に係る無線基地局装置では、端末電力情報取得部１１は、無線端末装置２０２において、自己の無線基地局装置が送信する無線信号の受信品質を示す指標が所定値以下となる状態、または他の無線基地局装置が送信する無線信号の受信電力が所定値以上となる状態における上記変化度合いを示す端末電力情報を取得する。
【０３５５】
このような構成により、無線通信システムにおける適切な位置の電力変化量ＰＣを用いて、ハンドオーバ動作のタイミングをより適切に制御することができる。
【０３５６】
また、本発明の実施の形態に係る無線基地局装置では、端末電力推定部１３は、自己の無線基地局装置と他の無線基地局装置との距離に基づいて上記変化度合いを推定する。
【０３５７】
このような構成により、基地局間距離の大小に応じて無線端末装置２０２の受信環境を適切に評価し、電力変化量ＰＣをより正確に推定することができる。
【０３５８】
また、本発明の実施の形態に係る無線基地局装置では、基地局間距離推定部１６は、他の無線基地局装置が送信する無線信号の送信電力と、他の無線基地局装置が送信する無線信号の、自己の無線基地局装置の形成するセルにおける受信電力との差に基づいて、自己の無線基地局装置と他の無線基地局装置との距離を推定する。そして、端末電力推定部１３は、基地局間距離推定部１６によって推定された距離に基づいて上記変化度合いを推定する。
【０３５９】
このように、他の無線基地局装置の無線信号の送信電力および自セルにおける当該無線信号の受信電力の差である下りパスロスを用いる構成により、基地局間距離Ｒをより正確に推定することができる。また、基地局間距離Ｒをユーザが予め無線基地局装置に設定する必要がなくなる。
【０３６０】
また、本発明の実施の形態に係る無線基地局装置では、端末電力推定部１３は、自己の無線基地局装置から送信される無線信号の送信電力と他の無線基地局装置から送信される無線信号の送信電力との差に基づいて上記変化度合いを推定する。
【０３６１】
このような構成により、基地局間の送信電力差の大小に応じて無線端末装置２０２の受信環境を適切に評価し、電力変化量ＰＣをより正確に推定することができる。
【０３６２】
また、本発明の実施の形態に係る無線基地局装置では、端末電力推定部１３は、自己の無線基地局装置の形成するセルに在圏する無線端末装置２０２の移動速度に基づいて上記変化度合いを推定する。
【０３６３】
このような構成により、無線端末装置２０２の移動速度の大小に応じて無線端末装置２０２の受信環境を適切に評価し、電力変化量ＰＣをより正確に推定することができる。
【０３６４】
また、本発明の実施の形態に係る無線基地局装置では、端末電力推定部１３は、他の無線基地局装置が送信する無線信号の送信電力と、他の無線基地局装置が送信する無線信号の、自己の無線基地局装置の形成するセルにおける受信電力との差の時間的な変化に基づいて上記変化度合いを推定する。
【０３６５】
このような構成により、他の無線基地局装置の無線信号の送信電力および自セルにおける当該無線信号の受信電力の差である下りパスロスの時間変化の大小に応じて無線端末装置２０２の受信環境を適切に評価し、電力変化量ＰＣをより正確に推定することができる。
【０３６６】
また、本発明の実施の形態に係る無線基地局装置では、端末電力推定部１３は、自己の無線基地局装置の形成するセルに在圏する無線端末装置２０２が送信する無線信号の送信電力と、自己の無線基地局装置における無線信号の受信電力との差の時間的な変化に基づいて上記変化度合いを推定する。
【０３６７】
このような構成により、無線端末装置２０２の無線信号の送信電力および自己の無線基地局装置における当該無線信号の受信電力の差である上りパスロスの時間変化の大小に応じて無線端末装置２０２の受信環境を適切に評価し、電力変化量ＰＣをより正確に推定することができる。
【０３６８】
また、本発明の実施の形態に係る無線基地局装置では、端末電力推定部１３は、自己の無線基地局装置の形成するセルに在圏する無線端末装置２０２が送信する無線信号の周波数と、自己の無線基地局装置が受信した無線信号の周波数との差に基づいて上記変化度合いを推定する。
【０３６９】
このような構成により、無線端末装置２０２の無線信号の周波数および自己の無線基地局装置が受信した当該無線信号の周波数の差であるドップラーシフトの大小に応じて無線端末装置２０２の受信環境を適切に評価し、電力変化量ＰＣをより正確に推定することができる。
【０３７０】
また、本発明の実施の形態に係る無線基地局装置では、端末電力推定部１３は、無線端末装置２０２における無線信号の受信電力の時間的な変化に基づいて上記変化度合いを推定する。
【０３７１】
このような構成により、無線端末装置２０２におけるシャドウィングの大小に応じて無線端末装置２０２の受信環境を適切に評価し、電力変化量ＰＣをより正確に推定することができる。
【０３７２】
また、本発明の実施の形態に係る無線基地局装置では、端末電力推定部１３は、自己の無線基地局装置の形成するセルに在圏する無線端末装置２０２における無線信号の受信電力の測定結果に基づいて受信電力の時間的な変化を取得する。
【０３７３】
このように、無線端末装置２０２の測定結果を用いる構成により、当該無線端末装置２０２におけるシャドウィングをより正確に推定することができる。
【０３７４】
また、本発明の実施の形態に係る無線基地局装置では、端末電力推定部１３は、自己の無線基地局装置の形成するセルに在圏する複数の無線端末装置２０２のうち、移動速度の大きい無線端末装置２０２の受信電力の時間的な変化に基づいて上記変化度合いを推定する。
【０３７５】
このように、シャドウィングが大きくなりやすい無線端末装置２０２を選択して受信環境を評価する構成により、電力変化量ＰＣをより正確に推定することができる。
【０３７６】
なお、本発明の実施の形態では、無線端末装置のハンドオーバ動作について具体的な説明を行なったが、無線基地局装置と通信中の無線端末装置が行なう基地局間移動（セル間移動）動作であるハンドオーバに限らず、アイドル状態の無線端末装置が行なう基地局間移動（セル間移動）動作についても、本発明は適用される。すなわち、本発明の実施の形態において、「ハンドオーバ」を「移動」に置き換えた構成および動作についても、本発明は適用される。
【０３７７】
また、本発明の実施の形態に係る無線基地局装置では、制御部９８は、無線端末装置２０２の電力変化量ＰＣを推測する構成であるとしたが、これに限定するものではない。制御部９８は、電力変化量ＰＣを推測する構成に限らず、他の装置が推測等した結果を取得する構成であってもよい。
【０３７８】
また、本発明の実施の形態に係る無線基地局装置は、基地局間距離Ｒ、送信電力差ＰＤ、無線端末装置２０２の移動速度、パスロス、ドップラーシフトおよびシャドウィングを自ら算出する構成であるとしたが、これに限定するものではなく、他の装置が演算した結果を取得する構成であってもよい。
【０３７９】
また、本発明の実施の形態に係る無線基地局装置では、制御部９８は、電力変化量ＰＣに基づいてハンドオーバ動作のタイミングを制御する構成であるとしたが、これに限定するものではなく、以下のような構成であってもよい。すなわち、制御部９８は、電力変化量ＰＣを用いず、自己の無線基地局装置と他の無線基地局装置との距離、自己の無線基地局装置および他の無線基地局装置から送信される無線信号の送信電力の差、自己の無線基地局装置の形成するセルに在圏する無線端末装置２０２の移動速度、他の無線基地局装置が送信する無線信号の送信電力と、他の無線基地局装置が送信する無線信号の、自己の無線基地局装置の形成するセルにおける受信電力との差の時間的な変化、自己の無線基地局装置の形成するセルに在圏する無線端末装置２０２が送信する無線信号の送信電力と、自己の無線基地局装置における無線信号の受信電力との差の時間的な変化、自己の無線基地局装置の形成するセルに在圏する無線端末装置２０２が送信する無線信号の周波数と、自己の無線基地局装置が受信した無線信号の周波数との差、ならびに無線端末装置２０２における無線信号の受信電力の時間的な変化のうち、少なくともいずれか１つの情報を取得する。そして、制御部９８は、取得した情報に基づいてハンドオーバ動作のタイミング制御を行なう。
【０３８０】
このような構成であっても、無線端末装置２０２の受信環境を適切に評価し、ハンドオーバ動作のタイミングを適切に制御することができるため、不適切なハンドオーバ動作を抑制し、良好な通信システムを構築することができる。したがって、無線端末装置のハンドオーバ動作を適切に制御することにより、通信の安定化を図ることができる。
【０３８１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０３８２】
１１  端末電力情報取得部
１２  ハンドオーバ制御部（移動動作制御部）
１３  端末電力推定部
１４  基地局測定部
１５  端末測定結果取得部
１６  基地局間距離推定部
９１  アンテナ
９２  サーキュレータ
９３  無線受信部
９４  無線送信部
９５  信号処理部
９６  受信信号処理部
９７  送信信号処理部
９８  制御部
１０１Ａ，１０１Ｂ，１０１Ｃ  無線基地局装置
【図１】
0005757203.tif 000002
【図２】
0005757203.tif 000003
【図３】
0005757203.tif 000004
【図４】
0005757203.tif 000005
【図５】
0005757203.tif 000006
【図６】
0005757203.tif 000007
【図７】
0005757203.tif 000008
【図８】
0005757203.tif 000009
【図９】
0005757203.tif 000010
【図１０】
0005757203.tif 000011
【図１１】
0005757203.tif 000012
【図１２】
0005757203.tif 000013
【図１３】
0005757203.tif 000014
【図１４】
0005757203.tif 000015
【図１５】
0005757203.tif 000016
【図１６】
0005757203.tif 000017
【図１７】
0005757203.tif 000018
【図１８】
0005757203.tif 000019
【図１９】
0005757203.tif 000020
【図２０】
0005757203.tif 000021
【図２１】
0005757203.tif 000022
【図２２】
0005757203.tif 000023
【図２３】
0005757203.tif 000024
【図２４】
0005757203.tif 000025
【図２５】
0005757203.tif 000026
【図２６】
0005757203.tif 000027
【図２７】
0005757203.tif 000028
【図２８】
0005757203.tif 000029
【図２９】
0005757203.tif 000030
【図３０】
0005757203.tif 000031
【図３１】
0005757203.tif 000032